(57)【特許請求の範囲】
【請求項１】
浴槽その他の浴室構成ユニットと、エプロン本体の端部との間の隙間を塞ぐ水密部材を備えている水密機能付き浴槽エプロンであって、上記の水密部材が、エプロン本体の裏面又は端面に嵌め付けられ、隙間を塞ぐ水密部材の部位が、可撓性のひれ状に形成され、このひれ状の水密部材の部位に連なる、エプロン本体の裏面又は端面との面接触箇所が硬質状に形成され、この水密部材の面接触箇所に、エプロン本体の裏面又は端面の嵌め込み用雌部に嵌め込むための雄部が突起状に形成されていることを特徴とする水密機能付き浴槽エプロン。
【請求項２】
請求項１記載の水密機能付き浴槽エプロンであって、雄部が、硬質性の軸部と、この軸部の周りに設けられている抜け落ち防止部とを備えて形成されていることを特徴とする水密機能付き浴槽エプロン。
【請求項３】
請求項１又は２記載の水密機能付き浴槽エプロンであって、嵌め込み用雌部が溝状に形成され、雄部が水密部材の長手方向に延びて連続状に形成されていることを特徴とする水密機能付き浴槽エプロン。
【請求項４】
請求項１乃至３の何れかに記載の水密機能付き浴槽エプロンであって、水密部材の面接触箇所の端が、エプロン本体の端部の端面より奥まった位置に配置されていることを特徴とする水密機能付き浴槽エプロン。
【請求項５】
請求項１乃至４の何れかに記載の水密機能付き浴槽エプロンであって、水密部材が、エプロン本体の周囲に連続して設けられていることを特徴とする水密機能付き浴槽エプロン。
【発明の詳細な説明】
【技術分野】
【０００１】
本発明は、浴槽の側面を覆う浴槽エプロンに関し、更に詳しくは浴槽エプロンの取り付け時に側壁パネル等との間に生じる隙間を水密に閉塞できるよう形成した水密機能付き浴槽エプロンに関するものである。
【背景技術】
【０００２】
従来、この種の発明としては、例えば特許文献１に記載されているものがある。
この従来例は、壁に水返し部材を固定し、この水返し部材の軟質部にエプロンの側端部を圧接し、この圧接部分から奥に浸入する水は、水返し部材に形成したせきとめ片で防止するように形成しているものである。
【０００３】
而して、特許文献１に記載の発明は、壁に水返し部材をネジ止めするため、壁にネジ孔を開けることになり、また浴槽エプロンの設置作業時に水返し部材を壁に位置決めしてネジ止めする作業を伴うものであった。
従ってこれによると、壁を損傷し、また浴槽エプロンの取付作業に手間暇がかかるのを避けられなかった。
【０００４】
また従来、浴槽と壁との間の隙間に差込んで使用する目地材も知られている（例えば特許文献２参照）。
しかし、この場合は、隙間の入り口に目地材の頭部が露出するため、これによると、隙間箇所の意匠性を損ない易く、見た目が悪くなる、という問題点があった。
またこの場合も、特許文献１の従来例と同様、目地材の差込みによる水密化作業を、浴槽エプロンの設置作業とは別に行う必要があったから、作業が二度手間になるのを避けられなかった。
【０００５】
また従来、この種の浴槽エプロンとしては、例えば側端面にパッキンを接着し、このパッキンで洗い場側からの水の浸入を防止することも、一般的に行われている。
而して、この場合は、浴槽エプロンを取り付けることで隙間を閉塞でき、一度の手間で済む反面、例えば浴槽の点検作業等で浴槽エプロンを何度か着脱しているうちに、パッキンが壁との摩擦抵抗で剥がれることがあった。
従ってこれによると、パッキンの再装着、再利用が難しくなり、またパッキンの取り付けに手間暇がかかる、という問題点があった。
【先行技術文献】
【特許文献】
【０００６】
【特許文献１】特許第３９００１３０号公報
【特許文献２】特開２００２−２９１６４２号公報
【発明の概要】
【発明が解決しようとする課題】
【０００７】
本発明は、このような従来品の問題点に鑑み、提案されたものである。
従って本発明の解決しようとする技術的課題は、浴槽エプロンの取付作業によって同時に隙間を水密に閉塞でき、また壁を損傷したり、洗い場側から見たときの意匠性を損なうことなく、しかも水密部材が剥がれても簡単、迅速に再装着できるよう形成した水密機能付き浴槽エプロンを提供することにある。
【課題を解決するための手段】
【０００８】
本発明は、上記の課題を解決するため、次のような技術的手段を採る。
即ち、本発明は、図１等に示されるように、浴槽１ａその他の浴室構成ユニット１と、エプロン本体２の端部２ａとの間の隙間Ｓを塞ぐ水密部材３を備えている水密機能付き浴槽エプロンであって、上記の水密部材３が、エプロン本体２の裏面２ｂ又は端面に嵌め付けられ、隙間Ｓを塞ぐ水密部材３の部位３ａが、可撓性のひれ状に形成され、このひれ状の水密部材３の部位３ａに連なる、エプロン本体２の裏面２ｂ又は端面との面接触箇所３ｂが硬質状に形成され、この水密部材３の面接触箇所３ｂに、エプロン本体２の裏面２ｂ又は端面の嵌め込み用雌部４に嵌め込むための雄部３ｃが突起状に形成されていることを特徴とする（請求項１）。
【０００９】
ここで、浴室構成ユニット１としては、浴槽１ａのほか、側壁パネル１ｂや床パン１ｃ（図１４参照）等がある。また、エプロン本体２の端部２ａとしては、左右の側端部のほか、上端部と下端部とがある。本発明の場合、水密部材３は、エプロン本体２の裏面２ｂに嵌め付けられるのが通例であるが、裏面２ｂには限られず、エプロン本体２の側端面や上端面、下端面などの端面（厚み面）に嵌め付けられているのでも良い。
【００１０】
またこの場合、本発明は、雄部３ｃが、硬質性の軸部３ｃ１と、この軸部３ｃ１の周りに設けられている抜け落ち防止部３ｃ２とを備えて形成されているのが好ましい（請求項２）。
なぜならこの場合は、抜け落ち防止部３ｃ２で水密部材３の抜け落ちを防止できるからである。
【００１１】
また本発明は、嵌め込み用雌部４が溝状に形成され、雄部３ｃが水密部材３の長手方向に延びて連続状に形成されているのが好ましい（請求項３）。
なぜならこれによると、雌部４を、例えば孔状に形成し、この雌部４にピン状の雄部３ｃを嵌め込む場合に比べ、雄部３ｃと雌部４との嵌め付け強度が高まり、しっかりと確実に嵌め付けできるからである。
なお、雌部４は、水密部材３の雄部３ｃとの嵌め付け状態を、一層、確実、堅固にできるよう、例えば蟻溝状に形成したり、或いは抜け落ち防止部３ｃ２の先と係合する凹凸を内面に襞状に形成しているのでも良い。
【００１２】
また本発明は、図１等に示されるように、水密部材３の面接触箇所３ｂの端３ｂ１が、エプロン本体２の端部２ａの端面より奥まった位置に配置されているのが好ましい（請求項４）。
なぜならこれによると、浴槽エプロンの着脱時の力を水密部材３の可撓性の部位３ａが分散し、その結果、雄部３ｃまで力が伝わり難くなり、水密部材３が外れ難くなると共に、水密部材３の損傷を抑えることができるからである。
【００１３】
更に本発明は、図１６に示されるように、水密部材３が、エプロン本体２の周囲に連続して設けられているのでも良い（請求項５）。
本発明は、水密部材３をエプロン本体２の各辺ごと個別に設けるのでも良いが、この場合はエプロン本体２の周りの隙間Ｓを、一度に、且つコーナーの継ぎ目で水密性を低下させることなく閉塞できるからである。
【発明の効果】
【００１４】
本発明は、このように水密部材を、エプロン本体の裏面又は端面に嵌め付けているから、点検作業等で浴槽エプロンを着脱したとき、水密部材が剥がれても、簡単に嵌め付け直すことができる。
従ってこれによると、水密部材を再利用でき、再装着を簡単化、迅速化できる。
また本発明は、浴槽エプロンの取付作業によって同時に隙間を閉塞できるから、これによれば水密作業を別個に行う手間暇を解消でき、浴槽の設置作業を効率良く、迅速に行うことができる。
また本発明は、目地材のように頭部が浴室内に露出することがないから、洗い場側から見たときの意匠性を損なうことを防止でき、また側壁パネルにネジ孔を開けることもないから、側壁パネルを損傷することもない。
【００１５】
また本発明の場合、隙間を塞ぐ水密部材の部位が、可撓性のひれ状に形成されている。
従ってこれによると、エプロン本体の取付作業時に水密部材の部位が、エプロン本体の動きに合わせて撓みながら壁面等に密着するため、水密性が良くなる。またこれによると、浴室構成ユニットの成形歪み等により、隙間の幅にバラツキがあっても吸収でき、柔軟に対応できる。
【００１６】
またこの場合、本発明は、ひれ状の水密部材の部位に連なる、エプロン本体の裏面又は端面との面接触箇所が硬質状に形成され、この水密部材の面接触箇所に、エプロン本体の裏面又は端面の嵌め込み用雌部に嵌め込むための雄部が突起状に形成されている。
従って本発明の場合は、水密部材が硬質部分を有するため、嵌め込み操作や取り扱いが容易になる。
【図面の簡単な説明】
【００１７】
【図１】本発明の浴槽エプロンの設置状態の上から見た要部断面図である。
【図２】水密部材の平面図である。
【図３】水密部材の斜視図である。
【図４】同上浴槽エプロンの設置状態の要部斜視図である。
【図５】同上浴槽エプロンの要部斜視図である。
【図６】図５の要部拡大斜視図である。
【図７】同上浴槽エプロンの背面図である。
【図８】同上浴槽エプロンの背面の要部拡大斜視図である。
【図９】同上浴槽エプロンの設置状態を示す要部平面図である。
【図１０】同上浴槽エプロンの取り外し状態の要部平面図である。
【図１１】Ａ、Ｂとも、水密部材の他の実施形態を示す平面図である。
【図１２】Ａ〜Ｄとも、水密部材の雄部の他の実施形態を示す要部平面図である。
【図１３】同上浴槽エプロンの他の実施形態を示す裏側から見た要部斜視図である。
【図１４】図１３の浴槽エプロンの設置状態の要部縦断面図である。
【図１５】水密部材がエプロン本体の上部に嵌め付けられている例を示す要部縦断面図である。
【図１６】本発明の浴槽エプロンの他の実施形態を示す背面図である。
【図１７】図１６の浴槽エプロンの嵌め込み用雌部を示す要部拡大背面図である。
【図１８】図１６の実施形態の水密部材の要部斜視図である。
【発明を実施するための形態】
【００１８】
以下、本発明を実施するための好適な一実施形態を、添付図面に従って説明する。
本発明の浴槽エプロンは、図１等に示されるように、浴槽１ａその他の浴室構成ユニット１と、エプロン本体２の端部２ａとの間の隙間Ｓを塞ぐ水密部材３を備えて形成されている。この実施形態の場合は、浴室構成ユニット１としての側壁パネル１ｂと、エプロン本体２の端部２ａとしての側端部との間の隙間Ｓを塞ぐ例である。
【００１９】
上記の水密部材３は、図２、図３に示されるように、隙間Ｓを塞ぐ水密部材３の部位３ａが、樹脂材で可撓性のひれ状に形成されている。またこの水密部材３の部位３ａは、曲率の緩やかな一段曲がった箇所３ａ１を備えて形成されている。またひれ状の水密部材３の部位３ａに連なる、エプロン本体２の裏面２ｂとの面接触箇所３ｂは、二色成型法により硬質状に形成されている。そして、この水密部材３は、この実施形態ではエプロン本体２の裏面２ｂに、面接触箇所３ｂの端３ｂ１を、端部２ａとしての側端部より一段奥まった位置に配置して、側端部の高さ方向（縦方向）の全長にわたって嵌め付けられている。
【００２０】
また水密部材３は、面接触箇所３ｂに、エプロン本体２の裏面２ｂの嵌め込み用雌部４に嵌め込むための雄部３ｃが突起状に形成されている。嵌め込み用雌部４は、図７、図８に示されるように、エプロン本体２の端部２ａとしての側端部に、高さ方向の全長にわたって溝状に形成されている。
【００２１】
また雄部３ｃは、図２に示されるように、硬質性の軸部３ｃ１と、この軸部３ｃ１の周りに嵌め込み方向と逆方向に返されている抜け落ち防止部３ｃ２とを備えて形成されている。そして雄部３ｃは、図３に示されるように、この実施形態では水密部材３の長手方向に延びて連続状に形成されている。雄部３ｃは、嵌め込み用雌部４に嵌め込まれると、抜け落ち防止部３ｃ２が変形し、その復元力で雌部４の内面に係合して保持される。
【００２２】
次に本発明品の設置例を説明する。
本発明の浴槽エプロンは、図９に矢示されるように、作業者が洗い場５側から浴槽１ａ側にエプロン本体２を押し込むと、水密部材３のひれ状の部位３ａが撓み、先端が側壁パネル１ｂに接触しながら変形して側壁パネル１ｂに密着して設置される。そしてこれにより、隙間Ｓが水密状に閉塞される。
【００２３】
この場合本発明は、面接触箇所３ｂの端３ｂ１が、エプロン本体２の端部２ａの端面より奥まった位置（内側位置）に配置されているから、浴槽エプロンの着脱時の力を水密部材３の可撓性の部位３ａが分散し、その結果、雄部３ｃまで力が伝わり難くなり、水密部材３が外れ難くなる。また、力が分散することにより、水密部材３の損傷が抑えられるものである。
【００２４】
また、この実施形態の本発明では、ひれ状の部位３ａが、一段曲がった箇所３ａ１を備えている。従ってこれによると、浴槽エプロンの設置時に、ひれ状の部位３ａが側壁パネル１ｂとの摩擦抵抗で巻き込まれ、裏返しになることを防止できる。
【００２５】
また浴槽エプロンを取り外す場合は、図１０に矢示されるように、作業者はエプロン本体２を洗い場５側に引く。すると、水密部材３のひれ状の部位３ａがめくれ、その結果、水密部材３を損傷することなく、エプロン本体２の取り外しが可能になる。
【００２６】
なお、この実施形態では、エプロン本体２の裏面２ｂの両側端部に、嵌め込み用雌部４としての溝が設けられている。従ってこれによると、例えば水密部材３を嵌め込む側と反対側の溝は、分割型の浴槽エプロン同士の嵌合に使用でき、また浴室構成ユニット１の左仕様、右仕様の制約を受けることなく、共用の浴槽エプロンとして利用できる。
【００２７】
以上の処において、本発明の場合、上記の水密部材３の構造は、上例には限られず、例えば図１１、図１２に示されるように形成されているのでも良い。
【００２８】
図１１Ａは、ひれ状の部位３ａが逆側から回されて逆巻き状に形成されている例である。また、同図Ｂは、水密部材３のひれ状の部位３ａが直線状に形成されている例である。
【００２９】
また図１２Ａに示されるように、水密部材３の雄部３ｃは、断面くの字片６が角を外側にして対向状に配置されて形成されたり、同図Ｂに示されるように、先端が矢尻状に返された左右一対の起立片７で形成されているのでも良い。図１２Ａ、Ｂにおいては、断面くの字片６、起立片７が抜け落ち防止部として機能する。また同図Ｃは、上記の抜け落ち防止部３ｃ２が中空の矢尻状に形成されている例であり、同図Ｄは軸部３ｃ１に上記の抜け落ち防止部３ｃ２が複数形成されている例である。
【００３０】
また嵌め込み用雌部４は、図１３に示されるように、エプロン本体２の底部に、横方向の全長にわたって溝状に形成されているのでも良い。この場合は、図１４に示されるように、浴室構成ユニット１としての床パン１ｃとの間の隙間Ｓを、水密部材３で閉塞できる。
【００３１】
また嵌め込み用雌部４は、エプロン本体２の上部に、横方向の全長にわたって溝状に形成されているのでも良い。この場合は、図１５に示されるように、浴槽１ａのフランジ１ａ１の裏側のリブ１ａ２との間の隙間Ｓを水密部材３で閉塞できる。
【００３２】
また本発明は、水密部材３をエプロン本体２の各辺ごと個別に設ける場合には限られない。即ち、本発明は、図１６に示されるように、水密部材３が、エプロン本体２の周囲に連続して設けられているのでも良い。
【００３３】
この場合は、具体的には、図１７に示されるように、嵌め込み用雌部４としての溝を、エプロン本体２の裏面２ｂの周囲に連続して形成すると共に、水密部材３の雄部３ｃを無理なく嵌め込むことができるよう、角部２ｃに対応する位置４ａを湾曲して形成する。また水密部材３は、図１８に示されるように、上記の位置４ａに対応する箇所３ｄを湾曲して連続状に形成することで実現される。
【００３４】
なお、この本発明の場合、角部２ｃに対応する位置４ａは、湾曲状に形成されるのが好ましいが、これに限定されるものではなく、例えば直角に形成されるのでも良い。この場合、水密部材３は直線状に形成され、上記の位置４ａに対応する箇所は内側に切れ目等が入れられ、鉤形に引き回されて嵌め込まれる。
なお、水密部材３の基本的な構成は、位置４ａに対応する箇所が、湾曲、直角にかかわらず、図２等に示される場合と同様で良い。
【符号の説明】
【００３５】
１      浴室構成ユニット
１ａ    浴槽
２      エプロン本体
２ａ    端部
２ｂ    裏面
３      水密部材
３ａ 隙間を塞ぐ水密部材の部位
３ｂ 面接触箇所
３ｃ 雄部
４ 嵌め込み用雌部
Ｓ      隙間
【図１】
0005607402.tif 000002
【図２】
0005607402.tif 000003
【図３】
0005607402.tif 000004
【図４】
0005607402.tif 000005
【図５】
0005607402.tif 000006
【図６】
0005607402.tif 000007
【図７】
0005607402.tif 000008
【図８】
0005607402.tif 000009
【図９】
0005607402.tif 000010
【図１０】
0005607402.tif 000011
【図１１】
0005607402.tif 000012
【図１２】
0005607402.tif 000013
【図１３】
0005607402.tif 000014
【図１４】
0005607402.tif 000015
【図１５】
0005607402.tif 000016
【図１６】
0005607402.tif 000017
【図１７】
0005607402.tif 000018
【図１８】
0005607402.tif 000019